(57)【特許請求の範囲】
【請求項１】
背側及び腹側のいずれか一方の部分における両側部に、ファスニングテープの基端部をそれぞれ連結し、
このファスニングテープの先端側に第一の接合部を設け、
前記ファスニングテープの基端側またはファスニングテープの基端部の近傍に第一の接合部と接合される第二の接合部を設け、
背側及び腹側のいずれか他方の部分における両側部に、前記ファスニングテープを挿し通す挿通部をそれぞれ設け、
前記第一の接合部と第二の接合部との中間部が離間しており、
前記ファスニングテープの第一の接合部を前記挿通部に挿し通した後に折り返して、前記第二の接合部に接合することによって、身体に装着するように構成し、かつ
前記ファスニングテープは、基端部が前記一方の部分の外側表面に貼り付けられ、先端側が前記一方の部分の側方に突出する第一の基材と、基端部が前記一方の部分の内側表面に貼り付けられ、先端側が前記一方の部分の側方に突出する第二の基材とが、突出部分において貼りあわされて一体化されて形成されており、
前記装着状態で、前記第一の基材の先端及び第二の基材の先端が前記折り返しの位置より先端側に位置するとともに、前記第一の基材の基端及び第二の基材の基端が前記折り返しの位置より基端側に位置している、
ことを特徴とする使い捨て紙おむつ。
【請求項２】
前記第一の接合部は、表面にフック状突起を有するフックテープからなり、前記第二の接合部は、前記フック状突起が着脱可能に掛止される表面を有するメステープからなる、請求項１記載の使い捨て紙おむつ。
【請求項３】
前記中間部で前記折り返しをなすように構成した、請求項１または２記載の使い捨て紙おむつ。
【請求項４】
少なくとも前記中間部が弾性伸縮するように構成した、請求項１〜３のいずれか１項に記載の使い捨て紙おむつ。
【請求項５】
前記挿通部が、前記他方の部分の両側部に開口されたスリットである、請求項１〜４のいずれか１項に記載の使い捨て紙おむつ。
【請求項６】
前記他方の部分の両側部に補強シートを積層固定し、この補強シートの周縁部の内側に前記スリットを開口した、請求項５記載の使い捨て紙おむつ。
【請求項７】
前記スリットの両端近傍のそれぞれに、スリットまたはその延長線を挟んで一方側に始端、他方側に終端を有するとともに、中間部がスリット中央側と反対側に膨らむ曲線状の切れ目を形成した、請求項５または６記載の使い捨て紙おむつ。
【請求項８】
前記挿通部が、前記他方の部分の両側部における表裏いずれか一方の面にシート状部材の両端部のみを固定してなるテープ通しである、請求項１〜４いずれか１項に記載の使い捨て紙おむつ。
【請求項９】
前記他方の部分の両側部のそれぞれに、前記挿通部を幅方向に間隔を空けて複数設けた、請求項１〜８のいずれか１項に記載の使い捨て紙おむつ。
【発明の詳細な説明】
【技術分野】
【０００１】
本発明は、いわゆるテープ式の使い捨て紙おむつ、すなわち背側及び腹側のいずれか一方における両側部にファスニングテープを備え、このファスニングテープを利用して背側及び腹側のいずれか一方の両側部を他方に固定することにより身体に装着する使い捨て紙おむつに関する。
【背景技術】
【０００２】
図９は、従来の大人用テープ式使い捨て紙おむつを示しており、この紙おむつは、おむつ外形をなす不透液性裏面シート５０と、透液性表面シート５１と、これらの間に介在された吸収体５２とを有するとともに、背側両側部から側方に突出する上下一対のファスニングテープ５３，５３を有し、この一対のファスニングテープ５３，５３を腹側表面のターゲットテープ５４に接合することによって身体に装着するようになっている（例えば特許文献１，２参照）。
一般に、ファスニングテープ５３，５３とターゲットテープとの接合手段としては、粘着剤又は面ファスナーが使用されているが、後者は接合力を強くでき、また剥離を繰り返しても接合力が低下し難いため汎用されている。
【特許文献１】実開平６−３１７２６号公報
【特許文献２】特開２００２−９５６９３号公報
【発明の開示】
【発明が解決しようとする課題】
【０００３】
しかしながら、従来の製品には次のような問題点がある。すなわち、第一に、ターゲットテープの存在により通気性が阻害される、剛性が増すことによりフィット性が低下する、あるいはその分だけ資材コストが嵩むという問題点があった。
このような問題点に対して、ターゲットテープを設けずに、おむつの最外面を不織布により形成し、この不織布自体をターゲットテープの代わりにすることも、例えば幼児用の紙おむつでは用いられている。しかし、不織布では強度（固定に対する耐久性）が不足し易い。
第二に、背側と腹側とが固定的に連結されるため、身体の動きに追従できず、ずれ易いという問題点もあった。
第三に、ファスニングテープの止着に際して、サイズを合わせるのが困難であるという問題点もあった。従来の製品は、片手で腹側を抑えながら反対の手で背側のファスニングテープを摘んで腹側表面に押さえつけるため、実際の締め付け具合が判り難い。そのため、締め付け具合を予想しながら止着することになるが、予想が外れて接合位置の調整が必要になることが多い。さらにその調整も先の止着結果からの予想になるため、予想が外れれば再調整になり、そのまま使用すればフィット性の低下により装着感の悪化や排泄物の漏れが発生することになる。
そこで本発明の主たる課題は、腹側表面を広範囲に覆うようなターゲットテープが不要であり、身体の動きに対してずれ難く、サイズ合わせも容易であるテープ式の使い捨て紙おむつを提供することにある。
【課題を解決するための手段】
【０００４】
＜請求項１記載の発明＞
背側及び腹側のいずれか一方の部分における両側部に、ファスニングテープの基端部をそれぞれ連結し、
このファスニングテープの先端側に第一の接合部を設け、
前記ファスニングテープの基端側またはファスニングテープの基端部の近傍に第一の接合部と接合される第二の接合部を設け、
背側及び腹側のいずれか他方の部分における両側部に、前記ファスニングテープを挿し通す挿通部をそれぞれ設け、
前記第一の接合部と第二の接合部との中間部が離間しており、
前記ファスニングテープの第一の接合部を前記挿通部に挿し通した後に折り返して、前記第二の接合部に接合することによって、身体に装着するように構成し、かつ
前記ファスニングテープは、基端部が前記一方の部分の外側表面に貼り付けられ、先端側が前記一方の部分の側方に突出する第一の基材と、基端部が前記一方の部分の内側表面に貼り付けられ、先端側が前記一方の部分の側方に突出する第二の基材とが、突出部分において貼りあわされて一体化されて形成されており、
前記装着状態で、前記第一の基材の先端及び第二の基材の先端が前記折り返しの位置より先端側に位置するとともに、前記第一の基材の基端及び第二の基材の基端が前記折り返しの位置より基端側に位置している、
ことを特徴とする使い捨て紙おむつ。
【０００５】
（作用効果）
本発明の紙おむつは、背側及び腹側のいずれか一方の両側部にそれぞれ連結したファスニングテープの第一の接合部を、背側及び腹側のいずれか他方の両側部にそれぞれ形成した挿通部に挿し通した後に折り返して、ファスニングテープの基端側またはファスニングテープの基端部の近傍の第二の接合部に接合することによって、身体に装着する。よって、従来のようなターゲットテープを設けなくて済むため、従来ターゲットテープを設けていた部分における通気性の向上、剛性増加の抑制によるフィット性の向上、資材コストの低減を図ることができる。
また、止着状態では、ファスニングテープが環状をなして挿通部に通されているだけであるため、ファスニングテープが挿通部に対して回動等でき、背側と腹側とが可動状態で連結されることになる。よって、背側及び腹側が独立して身体の動きに追従でき、身体の動きに対してずれ難いものとなる。
さらに、本発明では、止着に際して、ファスニングテープの第一の接合部を挿通部に通した後に折り返して、第二の接合部に接合するため、実際の締め付け方向に力を作用させながら接合することになる。よって、実際の締め付け力（少なくともそれに極めて近い力）を感じながら接合できるため、サイズ合わせが容易になる。しかも、接合を解いて接合位置を調整するにしても、ファスニングテープの第一の接合部を挿通部に通して折り返した状態、つまり背側と腹側とを連結した状態を維持しながら、かつ実際の締め付け力を感じながら接合できるため、調整も極めて容易になる。
【０００６】
＜請求項２記載の発明＞
前記第一の接合部は、表面にフック状突起を有するフックテープからなり、前記第二の接合部は、前記フック状突起が着脱可能に掛止される表面を有するメステープからなる、請求項１記載の使い捨て紙おむつ。
【０００７】
（作用効果）
本発明の接合手段としては、粘着剤を用いることもできるが、接合強度が確保し難い点や、第一の接合部に粘着剤を用いると挿通部に通し難くなる点、止着容易性等を総合的に考慮すると、本項記載の組み合わせで面ファスナーを採用するのが好ましい。
【０００８】
＜請求項３記載の発明＞
前記中間部で前記折り返しをなすように構成した、請求項１または２記載の使い捨て紙おむつ。
【０００９】
（作用効果）
本項記載のように構成することで、ファスニングテープの折り返し部分が嵩まず、またサイズを調整する際の挿通部に対する滑りを良くできる利点ももたらされる。
【００１０】
＜請求項４記載の発明＞
少なくとも前記中間部が弾性伸縮するように構成した、請求項１〜３のいずれか１項に記載の使い捨て紙おむつ。
【００１１】
（作用効果）
このようにファスニングテープが弾性伸縮することにより、サイズ調整範囲が広くなるとともに調整作業も容易になり、また、身体の動きに対する追従性も向上する。
【００１２】
＜請求項５記載の発明＞
前記挿通部が、前記他方の部分の両側部に開口されたスリットである、請求項１〜４のいずれか１項に記載の使い捨て紙おむつ。
【００１３】
（作用効果）
本発明の挿通部は、背側及び腹側のいずれか他方の部分の両側部にスリットを開口形成することによって容易に形成することができる。
【００１４】
＜請求項６記載の発明＞
前記他方の部分の両側部に補強シートを積層固定し、この補強シートの周縁部の内側に前記スリットを開口した、請求項５記載の使い捨て紙おむつ。
【００１５】
（作用効果）
挿通部をスリットで形成した場合、装着時にスリットの両端に力が集中して素材が引き裂かれてしまうおそれがある。このため、本項記載のように、予め補強シートで補強した部分の内側にスリットを形成し、スリット両端の裂けを防止するのが好ましい。
【００１６】
＜請求項７記載の発明＞
前記スリットの両端近傍のそれぞれに、スリットまたはその延長線を挟んで一方側に始端、他方側に終端を有するとともに、中間部がスリット中央側と反対側に膨らむ曲線状の切れ目を形成した、請求項５または６記載の使い捨て紙おむつ。
【００１７】
（作用効果）
スリット両端の裂けは、このような切れ目を形成しておくことでも防止できる。すなわち、スリット両端から裂けが発生しても、裂けの進行先に本項記載のような切れ目、例えばスリット側に入口を有するＵ字状やＣ字状の切れ目が存在していると、裂けが切れ目に達した後はこの切れ目全体で力を分散して受けるようになり、裂けの進行が抑止されるのである。
【００１８】
＜請求項８記載の発明＞
前記挿通部が、前記他方の部分の両側部における表裏いずれか一方の面にシート状部材の両端部のみを固定してなるテープ通しである、請求項１〜４いずれか１項に記載の使い捨て紙おむつ。
【００１９】
（作用効果）
挿通部は、本項記載のようなテープ通し（いわゆるベルト通しやベルトホールと同様の構造を有するものである）によっても容易に形成することができる。この場合、止着に際しては、テープ通しにおける中間部（両端固定部の間の部分）と対向面との隙間にファスニングテープを通して折り返すようにする。テープ通し自体は本体部から外れるおそれがあるが、スリットのような本体部の裂けは原理的に発生しないという利点もある。
【００２０】
＜請求項９記載の発明＞
前記他方の部分の両側部のそれぞれに、前記挿通部を幅方向に間隔を空けて複数設けた、請求項１〜８のいずれか１項に記載の使い捨て紙おむつ。
【００２１】
（作用効果）
本項記載のように、挿通部を幅方向に間隔を空けて複数設けておくと、ファスニングテープを通す挿通部を適宜選択することによりサイズ調整ができる。このサイズ調整は、微調整というよりは、第一及び第二の接合部間の接合位置では調整できないような、ある程度大まかな調整に適している。
【発明の効果】
【００２２】
以上の通り本発明によれば、腹側表面を広範囲に覆うようなターゲットテープが不要となり、身体の動きに対してずれ難く、サイズ合わせも容易である等の利点がもたらされる。
【発明を実施するための最良の形態】
【００２３】
以下、本発明の実施の形態について図面を参照しながら詳述する。
図１は本発明に係る紙おむつの展開状態外面側を示す図であり、図２は内面側を示す一部破断図である。この紙おむつは、不透液性バックシート１と、不織布などからなる透液性トップシート２との間に、綿状パルプ等からなる、たとえば砂時計形状若しくは長方形のある程度の剛性を有する吸収体３が介在されているものである。吸収体３は、その形状保持のためにクレープ紙（図示せず）により包み込むことができる。
【００２４】
不透液性バックシート１としては、ポリエチレンフィルム等の他、近年では、ムレ防止の点から遮水性を損なわずに透湿性を備えたシートも用いられている。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートである。一方、透液性トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができる。
【００２５】
不透液性バックシート１は、吸収体３の周囲より外方に延在して略砂時計形状を成しており、その側方延在部はバリヤシート４の側部とともに、吸収体の存在しないサイドフラップ部ＳＦを構成している。透液性トップシート２は、吸収体３より若干大きめの砂時計形状とされ、吸収体３側縁より若干外方に延在する部分がバリヤシート４と不透液性バックシート１との間に介在され不透液性バックシート１側にホットメルト接着剤により固着されている。バリヤシート４の形成材料としては、プラスチックシートやメルトブローン不織布を使用することもできるが、肌への感触性の点で、不織布にシリコンなどにより撥水処理をしたものが好適に使用される。
【００２６】
紙おむつの長手方向両端部、すなわち腹側および背側では不透液性バックシート１および透液性トップシート２が共に延在し吸収体３の存在しないエンドフラップ部ＥＦが形成され、このうち背側のエンドフラップ部ＥＦにおいては、複数本、図示の例では３本の糸状弾性伸縮部材７，７…が幅方向に沿って配設されている。この糸状弾性伸縮部材７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２７】
また、背側のエンドフラップ部ＥＦにおける両側部のそれぞれには、上下一対のファスニングテープ５，５が側方に突出するように設けられている。このファスニングテープ５は、基端部が背側の外側表面に貼り付けられ、先端側がエンドフラップＥＦ側方に突出する第一の基材５ａと、基端部が背側の内側表面に貼り付けられ、先端側がエンドフラップＥＦ側方に突出する第二の基材５ｂとが、突出部分において貼りあわされて一体化されており、この一体化された基材の外表面における長手方向（突出方向）中央の中間部８が非接合部とされ、基端側が第二の接合部６とされ、先端側が第一の接合部９とされているものである。また第一の接合部９の先端は基材５ａ先端から若干基端側に位置しており、この基材の突出部分５ｐが摘み部となる。
【００２８】
ファスニングテープの基材５ａ、５ｂとしては、ポリプロピレン、ポリエチレンをはじめとする一般的な組成からなるフィルム及び不織布等を用いることができる。
【００２９】
第一の接合部９は、表面全体に多数のフック状突起（例えばキノコ状等）を有するフックテープからなり、第二の接合部６は、フック状突起が着脱可能に掛止される表面（例えば多数のループ）を有するメステープからなる。これらフックテープ及びメステープはホットメルト接着剤等によりファスニングテープ５の基材５ａに固定される。
【００３０】
一方、腹側のエンドフラップ部ＥＦの両側のそれぞれには、上下一対のファスニングテープ５，５と対応する高さ位置に、ファスニングテープ５，５の挿通部として上下一対のスリット１０，１０が開口されている。スリット１０はファスニングテープ５が貫通しうる限り特に限定されないが、図示形態では、スリット１０は、バックシート１及びバリヤシート４が貼り合わされたサイドフラップ部ＳＦに、高さ方向に沿ってファスニングテープ５の幅よりも若干長く切り目を入れることにより形成されている。
【００３１】
また、スリット１０の両端の裂けを防止するために、予め、スリット１０を入れる位置を覆うように補強シート１１を貼り付けておき、スリット１０はこの補強シート１１の周縁部の内側に収まるように形成するのが好ましい。補強シート１１は、図示例のように表裏両面に設ける他、表裏いずれか一方の面、あるいはバックシート１とサイドシート４との間等のシート間に設けることができる。補強シート１１としては坪量が５０〜９０ｇ／ｍ2程度で、ＪＩＳＬ１０９６：１９９９に規定される引裂き強度が３．０ｋｇｆ以上のシートを用いることができる。このようなシートとしては、例えばＰＰスパンボンド不織布等の各種不織布や、ＣＰＰフィルムを用いることができる。補強シートの繊維配向方向と、補強部位の素材の繊維配向方向とを直角等の所定角度で交差させるのも好ましい形態である。
【００３２】
さらに図示形態では、スリット１０の両端近傍のそれぞれに、スリット１０またはその延長線を挟んで一方側に始端、他方側に終端を有するとともに、中間部がスリット中央側と反対側に膨らむ、例えばＣ字状やＵ字状等の曲線状切れ目１２を形成している。スリット１０両端から裂けが発生しても、裂けの進行先にこのような切れ目１２が存在していると、裂けが切れ目１２に達した後はこの切れ目１２全体で力を分散して受けるようになり、裂けの進行が抑止される。この切れ目１２は、補強シート１１と併用するのが好ましいが、補強シート１１を設けずにこの切れ目１２を設けることもできる。また、これらとともに、あるいはこれらに代えて、他の公知の引裂き防止手段を採用することもできる。
【００３３】
装着に際しては、紙おむつを身体にあてがった状態で、図４及び図５に示すように、ファスニングテープ５先端側の第一の接合部９を、スリット１０に挿し通した後に中間部８で折り返して、ファスニングテープ５基端側の第二の接合部６に接合する。この際、実際の締め付け方向に力を作用させ、実際の締め付け力（少なくともそれに極めて近い力）を感じながら接合することができる。接合を解いて接合位置を再調整する場合、ファスニングテープ５の第一の接合部９をスリット１０に通して折り返した状態、つまり背側と腹側とを連結した状態を維持しながら剥離及び接合することができる。止着状態では、ファスニングテープ５が環状をなしてスリット１０に通されているだけであり、ファスニングテープ５がスリット１０に対して回動等でき、背側と腹側とが可動状態で連結されることになる。
【００３４】
＜その他＞
（イ）挿通部は、図６及び図７に示すようなテープ通し２０とすることもできる。すなわち、挿通部形成部位に対し、上下方向にファスニングテープ幅よりも広い間隔をおいて細長状シート状部材２０の両端部２１，２２をそれぞれ固定し、中間部２３は固定せずにおき、図７（ｂ）に示すように、中間部２３と対向面との間にファスニングテープ５を通して折り返す形態も採用することができる。テープ通し２０は、腹側の外面（図示例では不透液性バックシート１の裏面）に設けるのが好ましいが、腹側の内面（図示例ではサイドシート４の表面）に設けることもできる。
【００３５】
（ロ）本発明の場合、ファスニングテープ５の接合位置の調整範囲を広げる場合、ファスニングテープ５を長くし、スリット１０等の挿通部を幅方向中央側に近づける必要があるが、ファスニングテープ５の取り回し易さや、部材相互の配置等を考慮すると、ファスニングテープ５及び挿通部の過度な位置変更は好ましくない。
【００３６】
そこで、次のような手段により、接合位置の調整方法を二段階にするのも好ましい形態である。すなわち、第一の手段は、ファスニングテープ５の基材５ａ，５ｂをゴムシート等の弾性伸縮部材で形成する等により、ファスニングテープ５の少なくとも中間部８が弾性伸縮するように構成するものである（図示せず）。この場合、ファスニングテープ５の弾性伸縮によりサイズ調整範囲が広くなる。さらに装着後において身体の動きに対して伸び縮みするためずれ難いものとなる。
【００３７】
第二の手段は、図８に示すように、両側部のそれぞれに、スリット１０等の挿通部を幅方向に間隔を空けて複数設けるものである。この場合、ファスニングテープ５を通す挿通部を適宜選択することによって大まかなサイズ調整が可能となる。
【００３８】
（ハ）上記形態では、第一の接合部９をフックテープで形成し、第二の接合部６をメステープで形成したが、反対に、第一の接合部９をメステープで形成し、第二の接合部６をフックテープで形成することもできる。
【００３９】
（ニ）上記形態では、ファスニングテープ５の接合手段として面ファスナーを採用した例を示したが、第一及び第二の接合部９，６のうちいずれか一方を粘着剤層で形成し、他方を平滑で粘着性に優れるテープで形成し、粘着剤層の粘着性により剥離可能に接合する形態も採用することができる。
【００４０】
（ホ）上記形態では、ファスニングテープ５が背側に設けられているが、腹側に設けることもできる。また、本発明では、ファスニングテープ５が腹側及び背側のいずれか一方に設けられ、他方に挿通部が設けられている限り、腹側及び背側の両方に、ファスニングテープおよび挿通部をそれぞれ設けることもできる。
【００４１】
（ヘ）上記形態では、第二の接合部６をファスニングテープ５の基端側に設けたが、第一の接合部９が接合される限り、ファスニングテープ５の基端部近傍のシート（不透液性バックシートやサイドシート）上に設けることもできる。
【００４２】
（ト）上記例のテープ通し２０はスリット１０に代えて設けているが、スリット１０およびテープ通し２０の両者を備え付け、両者を併用する、あるいは使用者が選択するように構成しても良い。
【産業上の利用可能性】
【００４３】
本発明は、テープ式の紙おむつにおいて利用できるものである。
【図面の簡単な説明】
【００４４】
【図１】本発明に係る使い捨て紙おむつの展開状態外面側を示す図である。
【図２】本発明に係る使い捨て紙おむつの展開状態内面側を示す図である。
【図３】スリット部分の拡大図である。
【図４】スリットを有する形態の止着要領を示す要部拡大断面図である。
【図５】装着状態を示す側面図である。
【図６】テープ通し部分の拡大図である。
【図７】テープ通しを有する形態の止着要領を示す要部拡大断面図である。
【図８】他の形態の挿通部拡大図である。
【図９】従来のテープ式紙おむつの展開状態内面側を示す図である。
【符号の説明】
【００４５】
１…不透液性バックシート、２…透液性トップシート、３…吸収体、４…バリヤシート、５…ファスニングテープ、６…第二の接合部、７…糸状弾性伸縮部材、８…中間部、９…第一の接合部、１０…スリット、１１…補強シート、１２…切れ目、２０…テープ通し。
【図１】
0005113341.tif 000002
【図２】
0005113341.tif 000003
【図３】
0005113341.tif 000004
【図４】
0005113341.tif 000005
【図５】
0005113341.tif 000006
【図６】
0005113341.tif 000007
【図７】
0005113341.tif 000008
【図８】
0005113341.tif 000009
【図９】
0005113341.tif 000010